(57)【要約】【課題】根太受け金物を床梁に先に固定する必要も無く、簡単に床を施工することができる床パネルと床の施工方法とを提供する。【解決手段】根太２上に床下地板４が貼設された床パネル１であって、根太２の端縁には根太受け金物３が設けられ、根太受け金物３は、根太２の底面２１、両側面２２、天面２３に接して根太２の端縁に設けられ、根太２の天面２３に接した部分からは、根太２の端縁よりもさらに外側に延設された根太支持部３１が形成され、根太受け金物３を設けた根太２上には、根太２と根太支持部３１とを被覆する大きさの床下地板４が設けられ、床下地板４の表面から根太２に打ち込まれる釘６によって根太２と床下地板４との間に根太受け金物３が固定され、根太支持部３１を被覆する床下地板４の部分が、根太支持部３１とともに床梁５上に載置できるようになされたものである。【選択図】  図２
2007132159.tif 000002
【特許請求の範囲】
【請求項１】
根太上に床下地板が貼設されてなる床パネルであって、
根太の端縁には根太受け金物が設けられてなり、
この根太受け金物は、根太の底面、両側面、天面に接するようにして根太の端縁に設けられ、かつ、この状態で根太の天面に接した部分からは、根太の端縁よりもさらに外側に延設された根太支持部が形成されてなり、
この根太受け金物を設けた根太上には、根太と根太受け金物の根太支持部とを根太の長手方向に沿って被覆する大きさに形成された床下地板が設けられ、
床下地板の表面から根太に打ち込まれる釘によって根太と床下地板との間に根太受け金物が固定され、根太支持部を被覆する床下地板の部分が、この根太支持部とともに床梁上に載置できるようになされたことを特徴とする床パネル。
【請求項２】
根太の底面、両側面、天面に接するようにして根太の端縁に設けられ、かつ、この状態で根太の天面に接した部分からは、根太の端縁よりもさらに外側に延設された根太支持部が形成されてなる根太受け金物を、根太の端縁に設けた後、
この根太受け金物を設けた根太上には、根太と根太受け金物の根太支持部とを根太の長手方向に沿って被覆する大きさに形成された床下地板を設け、
床下地板の表面から根太に打ち込まれる釘によって根太と床下地板との間に根太受け金物を固定して床パネルを構成し、
この床パネルの根太を床梁間に落とし込むようにして、根太支持部を被覆する床下地板の部分を、この根太支持部とともに床梁上に載置させ、床下地板の表面から床梁に打ち込まれる釘によって床下地板と根太支持部と床梁とを固定することを特徴とする床の施工方法。
【発明の詳細な説明】
【技術分野】
【０００１】
本発明は、根太受け金物が一体化された床パネルと、それを用いた床の施工方法とに関するものである。
【背景技術】
【０００２】
一般に、住宅建物の床の施工に根太受け金物を用いることが行なわれている。
【０００３】
従来より、この根太受け金物は、床梁の側面に釘で固定した後、この根太受け金物に根太を支持させて床梁と根太とが面一となるように施工していた。そして、この床梁および根太上に床下地板を設けることにより、床を構成するようになされていた。
【０００４】
また、このような床の構造において、図５に示すように、側面にあらかじめ根太受け金物ａを取り付けた床梁ｂを用いたり、根太ｃと床下地板ｄとをあらかじめ一体化した床パネルｅを用いることで現場施工の簡略化を図ることも行なわれている。
【特許文献１】特開平１０−１８３８３５号公報
【特許文献２】特開２００１−１１５５５０号公報
【発明の開示】
【発明が解決しようとする課題】
【０００５】
しかし、上記従来のように床梁ｂの側面に根太受け金物ａを釘で固定して構成される床の場合、根太受け金物ａの取付精度が悪いと、根太受け金物ａと根太ｂとの間に隙間を生じ、床鳴りが発生し易くなってしまうといった不都合を生じることとなる。
【０００６】
このような床鳴りは、根太受け金物ａと根太ｂとの挙動が異なるために起こるので、これら根太受け金物ａと根太ｂとを一体化させて床鳴りを防止するために、根太受け金物ａと根太ｂとの間に、接着剤を注入して接着することが行なわれている。
【０００７】
しかし、この場合、作業工数が増えてしまうといった不都合を生じるとともに、接着剤を硬化させるために１５時間から９０時間の乾燥時間を確保しなければならず、その間は床パネルｅ上に作業員が乗ることができず、現場の作業効率が低下してしまうといった不都合を生じることとなる。
【０００８】
さらに、側面にあらかじめ根太受け金物ａを取り付けた床梁ｂを用いたり、根太ｃと床下地板ｄとをあらかじめ一体化した床パネルｅを用いて床を施工する場合、先に床梁ｂに固定しておいた根太受け金物ａの位置を確認しながら床パネルｅの施工しなければならないが、床下地板ｄが邪魔になって根太受け金物ａの位置を確認し難くなるので施工作業が煩わしくなってしまう。特に、床パネルｅは、根太ｃの両端それぞれを、対向する床梁ｂの根太受け金物ａの位置に合わせて支持させなければならないので、最低でも２人の作業員が必要となり、両者がそれぞれ床パネルｅの両側で確認しながら施工作業を行なわければならなかった。しかも、二階床梁などの場合には、施工作業の煩わしさに加えて高所作業となり危険性が高くなってしまう。
【０００９】
本発明は、係る実情に鑑みてなされたものであって、根太受け金物を床梁に先に固定する必要も無く、簡単に床を施工することができる床パネルと床の施工方法とを提供することを目的としている。
【課題を解決するための手段】
【００１０】
上記課題を解決するための本発明の床パネルは、根太上に床下地板が貼設されてなる床パネルであって、根太の端縁には根太受け金物が設けられてなり、この根太受け金物は、根太の底面、両側面、天面に接するようにして根太の端縁に設けられ、かつ、この状態で根太の天面に接した部分からは、根太の端縁よりもさらに外側に延設された根太支持部が形成されてなり、この根太受け金物を設けた根太上には、根太と根太受け金物の根太支持部とを根太の長手方向に沿って被覆する大きさに形成された床下地板が設けられ、床下地板の表面から根太に打ち込まれる釘によって根太と床下地板との間に根太受け金物が固定され、根太支持部を被覆する床下地板の部分が、この根太支持部とともに床梁上に載置できるようになされたものである。
【００１１】
また、上記課題を解決するための本発明の床の施工方法は、根太の底面、両側面、天面に接するようにして根太の端縁に設けられ、かつ、この状態で根太の天面に接した部分からは、根太の端縁よりもさらに外側に延設された根太支持部が形成されてなる根太受け金物を、根太の端縁に設けた後、この根太受け金物を設けた根太上には、根太と根太受け金物の根太支持部とを根太の長手方向に沿って被覆する大きさに形成された床下地板を設け、床下地板の表面から根太に打ち込まれる釘によって根太と床下地板との間に根太受け金物を固定して床パネルを構成し、この床パネルの根太を床梁間に落とし込むようにして、根太支持部を被覆する床下地板の部分を、この根太支持部とともに床梁上に載置させ、床下地板の表面から床梁に打ち込まれる釘によって床下地板と根太支持部と床梁とを固定するものである。
【発明の効果】
【００１２】
以上述べたように、本発明によると、根太の端縁に根太受け金物を設け、根太上には、根太と根太受け金物の根太支持部とを根太の長手方向に沿って被覆する大きさの床下地板を設けているので、床梁間に根太を落し込むようにして、床梁上に、根太支持部を被覆する床下地板の部分を載置するだけで簡単に施工することができる。
【００１３】
また、根太受け金物は、床梁ではなく根太の端縁にあらかじめ設けているので、施工後の床鳴りを防止することができる。
【発明を実施するための最良の形態】
【００１４】
以下、本発明の実施の形態を図面を参照して説明する。
【００１５】
図１は、床パネル１の全体構成の概略を示し、図２は同床パネル１の要部構成を示している。
【００１６】
すなわち、この床パネル１は、根太２の端縁に根太受け金物３が設けられ、その上に床下地板４が貼設されている。
【００１７】
根太２は、４５ｍｍ×１２０ｍｍ角で約２ｍの長さに形成されている。この根太２は一枚の床パネル１につき３本または２本が用いられる。
【００１８】
根太受け金物３は、厚さ約０．５ｍｍの鋼板を成形して構成されており、根太２の端縁から約６０ｍｍの幅にわたって根太２の底面、両側面、天面に接するようにして嵌合可能な角筒状に形成されている。また、根太２の天面に接した部分からは、根太２の端縁からさらに４０ｍｍの幅で延設された根太支持部３１が形成されている。
【００１９】
この根太支持部３１は、図３（ａ）に示すように、根太２に沿った中心軸方向にスリット３２が設けられている。このスリット３２は、この床パネル１を設けた後の床梁４に柱（図示省略）を設ける際に、この床梁４と柱とを接続する金物（図示省略）と干渉しないようにするためのものである。
【００２０】
この根太受け金物３は、根太支持部３１の形状の違いによって２種類が用意されている。一方の根太受け金物３は、上記した図３（ａ）に示すもので、他方の根太受け金物３は、図３（ｂ）に示すように、根太２の端縁から両側外部に向けて分岐するように延設された根太支持部３１が形成されている。
【００２１】
この根太受け金物３は、薄板鋼板を折り曲げ加工したり、溶接加工したり、かしめ止め加工したりすることによって形成される。また、この根太受け金物３は、後述するように釘６で固定されるため、釘６が容易に貫通することができる素材で形成されたものが用いられる。
【００２２】
なお、本実施の形態において、根太受け金物３は、角筒状に形成された部分に根太２の端縁を嵌合するようになされているが、最初から角筒状に形成されておらず、根太２の端縁に取り付ける際に折り曲げ加工したり、かしめ止め加工したりして取り付けるようになされたものであってもよい。
【００２３】
床下地板４は、厚さ約２４ｍｍで約２ｍ×１ｍの大きさに形成されている。この床下地板４の裏面には、端縁に根太受け金物３を設けた上記根太２が、長手方向に沿って固定される。この固定は、床下地板４の表面から根太２に向けて釘６を打ち込むことによって行なわれる。この際、根太受け金物３は、床下地板４の表面から、根太２の端縁に設けられた根太受け金物３の部分に打ち込まれる釘６によって、床下地板４や根太２と一緒に固定されることとなる。
【００２４】
また、この固定状態で、床下地板４は、根太２の端縁からそれぞれ約６０ｍｍずつはみ出す長さに形成され、根太２とこの根太２の端縁に設けられた根太受け金物３の根太支持部３１とを被覆するようになされている。
【００２５】
このようにして構成される床パネル１は、施工する場所によって、床下地板４の裏面中央と一側辺とに根太２を固定したものと、床下地板４の裏面中央と両側辺とに根太２を固定したものが形成される。また、側辺に固定される根太２は、図２（ａ）に示すように床下地板４に完全に隠れるようにして固定されるものと、図２（ｂ）に示すように長手方向に沿った半分がはみ出してこのはみ出した部分に隣接する他の床パネル１が載置できるようになされたものとが形成される。
【００２６】
なお、図２（ａ）および（ｂ）に示すように、側辺に固定される根太２の端縁に設けられる根太受け金物３は、床下地板４から過度にはみ出さないように、図３（ａ）に示すような根太支持部３１が分岐していないものが用いられているが、図３（ｂ）に示すような分岐した根太支持部３１が形成されたものを用いてもよい。また、図２（ｃ）に示すように、床下地板４の裏面中央に固定される根太２端縁に設けられる根太受け金物３は、図３（ｂ）に示すような分岐した根太支持部３１が形成されたものが用いられているが、図３（ａ）に示すような根太支持部３１が分岐していないものを用いてもよい。
【００２７】
この床パネル１を施工する場合は、図４に示すように、まず、床梁５間に根太２を落し込むようにして、床梁５上に、根太２からはみ出した床下地板４の部分を載置する。これにより、根太受け金物３の根太支持部３１も、床下地板４と同様に床梁５上に載置され、この根太支持部３１を介して根太２が根太受け金物３に支持されることとなる。
【００２８】
そして、床下地板４の表面から床梁５に向けて釘６を打ち込むことによって床パネル１を床梁５に固定する。この際、根太受け金物３の根太支持部３１の部分には、必ず釘６が打ち込まれるようにしなければならない。これによって根太受け金物３は、床下地板４の表面から、根太支持部３１の部分に打ち込まれる釘６によって、床下地板４と一緒に床梁５に固定することができる。
【００２９】
このように、床パネル１は、床梁５上に床下地板４の部分を載置して釘６で固定するだけで根太受け金物３を有効に作用させることができるので、簡単な作業で安全に施工することができる。
【００３０】
また、この床パネル１は、根太受け金物３を、根太２や床下地板４とあらかじめ一体に構成しているため、がつたきによる床鳴りを抑制することができる。
【００３１】
さらに、根太２と根太受け金物３とのがたつきを無くすことによって床鳴り防止のための接着剤などの塗布作業を現場で行なう必要も無くなるので、効率良く施工作業を行なうことができる。
【００３２】
なお、本実施の形態において、床パネル１は１ｍ×２ｍの大きさに形成されたのもとなされているが、特にこの大きさとしては限定されるものではなく、この種の床パネルとして構成されている各種サイズのものであってもよい。
【００３３】
また、床パネル１は、工場で床パネル１の状態に加工してから現場へ搬入して施工することが最も効率良く作業できるが、床を施工する意味では、床パネル１を構成する段階からすべて現場で行なうものであってもよい。
【産業上の利用可能性】
【００３４】
住宅建物における床の施工に利用できる。
【図面の簡単な説明】
【００３５】
【図１】（ａ）および（ｂ）は、本発明に係る床パネルの全体構成の概略を示す斜視図である。
【図２】（ａ）ないし（ｃ）は、本発明に係る床パネルの要部を示す部分斜視図である。
【図３】（ａ）および（ｂ）は、本発明に係る床パネルに用いられている根太受け金物を示す斜視図である。
【図４】（ａ）および（ｂ）は本発明に係る床パネルの施工状態を示す断面図である。
【図５】従来の床パネルの施工状態を示す斜視図である。
【符号の説明】
【００３６】
１  床パネル
２  根太
３  根太受け金物
３１  根太支持部
４  床下地板
５  床梁
６  釘
【図１】
2007132159.tif 000003
【図２】
2007132159.tif 000004
【図３】
2007132159.tif 000005
【図４】
2007132159.tif 000006
【図５】
2007132159.tif 000007